(57)【特許請求の範囲】
【請求項１】
基礎床上に離隔して複数個の支持脚で支持されたフロアパネルの裏側に冷温水循環パイプを配列し、前記フロアパネルを介してその輻射熱で冷暖房対象空間を冷暖房する設備の二重床構造において、前記基礎床上に設置され、かつ帯板を山形に折曲して成る複数個の帯状山形支持部材と、前記帯状山形支持部材の頂部に、かつ該頂部を橋絡するように、互いに平行に支持され、前記冷温水循環パイプを収容するように上部が開放された樋状部材と、前記樋状部材の両側部および上部開放部を覆う伝熱部材とを有し、前記複数個の帯状山形支持部材は、その各々山部が前記樋状部材の長手方向およびこれに直交する横手方向に互いに離隔して配列され、かつ各々の山裾部下端が基礎床に接面するように折り曲げられており、前記伝熱部材の上面は前記フロアパネルの裏面に接触することを特徴とする冷暖房設備の二重床構造。
【請求項２】
基礎床上に離隔して複数個の支持脚で支持されたフロアパネルの裏側に配置された冷温水循環パイプと、前記フロアパネルの一部に形成された空気吹出口と、冷暖房対象空間の上部に形成された空気吸込口と、前記基礎床と前記フロアパネルとの間の前記冷温水循環パイプ周囲に冷気あるいは暖気を送り込み、前記フロアパネルの前記空気吹出口から前記冷暖房対象空間および前記空気吸込口を経て前記基礎床と前記フロアパネルとの間へと循環させる冷暖気供給装置と、前記冷温水循環パイプに冷水あるいは温水を送って循環させる冷温水供給装置と、前記基礎床上に設置され、かつ帯板を山形に折曲して成る複数個の帯状山形支持部材と、前記帯状山形支持部材の頂部に、かつ該頂部を橋絡するように、互いに平行に支持され、前記冷温水循環パイプを収容するように上部が開放された樋状部材と、前記樋状部材の両側部および上部開放部を覆う伝熱部材とを有し、前記複数個の帯状山形支持部材は、その各々山部が前記樋状部材の長手方向およびこれに直交する横手方向に互いに離隔して配列され、かつ各々の山裾部下端が基礎床に接面するように折り曲げられており、前記伝熱部材の上面は前記フロアパネルの裏面に接触することを特徴とする床吹出し空調・冷暖房装置。
【発明の詳細な説明】
【０００１】
【発明の属する技術の分野】
本発明は、基礎床の上に離隔してフロアパネルが設けられ、このフロアパネルの裏側に冷温水循環パイプが配置され、該パイプを流れる冷・熱媒によって前記フロアパネルを通して室内等フロア上の空間を冷暖房する冷暖房設備の二重床構造に関する。本発明は更に、隔置された二重床の間を通して冷気あるいは暖気を室内に送り込むとともに、前記フロアパネルの裏側に配設した冷温水循環パイプの冷・熱媒によって前記フロアパネルを通して室内を冷暖房する床吹出し式空調・冷暖房装置の二重床構造に関する。
【０００２】
【従来の技術】
この種の床吹出し空調・冷暖房装置としては既に、図６に示すように、冷温水発生機１７からの冷水あるいは温水を、床パネル６の下側に配設した冷温水パイプ１に送水、循環させて床自体を冷却あるいは加熱し、その床輻射により室１２内を冷暖房する床輻射冷暖房システムと、空気調和機２９からの湿度あるいは温度等の調節空気を床パネル６の下側の空間部３２に供給し、該空間部３２に連通する床パネル側部近傍に形成した吹出口１１から室１２内へ送風し、室上部の吸込口１３から空気調和機２９へ戻して循環させることにより室内を空調雰囲気に調節する、いわゆる床吹出し空調システムとの組み合わせによる空調・冷暖房装置が知られている（例えば特許第２６０２１９号）。この場合、冷温水パイプ１はモルタル等の熱伝導率の高い被覆材３８に埋め込まれるようにして床パネル６の下側に固定される。
【０００３】
また、近年の情報処理技術の進展、普及に伴ない、特にオフィスビルの室内で多数のパソコン、コピー機、電話機あるいはファクシミリ等のＯＡ機器を設置する場合、図７に示すように、床面４０上に前記ＯＡ機器の電源および配線用のコード４１を這わせ、また床面４０上に多数の支持脚４２を所定間隔で立設し、各支持脚４２上に複数個に分割したフロアパネル４５を開閉自在に設置した二重床構造も実施されている。室内の前記ＯＡ機器を配線コード４１に接続する際は該当箇所のフロアパネル４５を開いてコード４１を引き出して接続し、接続完了後はフロアパネル４５を閉鎖する。
【０００４】
【発明が解決しようとする課題】
しかしながら従来の二重床式冷暖房システムは、冷温水パイプ１と床パネル６間に被覆材３８が充填されるために、床パネル６を開閉することができず、床パネル６の下面にＯＡ機器の配線コード等を這わせることができない。また、冷温水パイプ１は被覆材３８内に埋め込まれる形態となるため、冷温水パイプ１と床パネル６が間接接触となり、熱伝導性の点でも問題があった。さらに冷温水パイプ１の破損、腐食等が起ったときのパイプの交換、修理に大がかりな工事が必要となる。
【０００５】
また、二重床の空間を利用して配線用コード４１を床面に這わせる構成についても、従来はコード４１が床面上をただ雑然と這っているのみであり、コード４１の本数が多くなった場合には、各コード４１がからみ合ってしまい、室内のＯＡ機器の位置を変えた場合には、所要のコードを選び出して再接続するという作業に時間を要し、必要以上に多くの床パネルを開かなければならない不都合があった。
【０００６】
本発明は上述した従来の不具合をなくし、前記冷温水パイプを流れる冷媒あるいは熱媒をフロアパネルに良好に伝熱させることができ、冷温水パイプの周囲の空間部に室内機器の電源、配線用コードを整然と、かつ簡単、迅速に這わせることができ、また装置設置工事の作業性もよく、工事費用の低減が図られる冷暖房設備の二重床構造を提供することにある。
【０００７】
本発明はまた、冷温水による床輻射冷暖房システムと冷温風による床吹出し空調システムとを組み合せた床吹出し空調・冷暖房設備の二重床構造を提供することにある。
【０００８】
【課題を解決するための手段】
本発明によれば、基礎床上に離隔して複数個の支持脚で支持されたフロアパネルの裏側に冷温水循環パイプを配列し、前記フロアパネルを介してその輻射熱で冷暖房対象空間を冷暖房する設備の二重床構造において、前記基礎床上に設置され、かつ帯板を山形に折曲して成る複数個の帯状山形支持部材と、前記帯状山形支持部材の頂部に、かつ該頂部を橋絡するように、互いに平行に支持され、前記冷温水循環パイプを収容するように上部が開放された樋状部材と、前記樋状部材の両側部および上部開放部を覆う伝熱部材とを有し、前記複数個の帯状山形支持部材は、その各々山部が前記樋状部材の長手方向およびこれに直交する横手方向に互いに離隔して配列され、かつ各々の山裾部下端が基礎床に接面するように折り曲げられており、前記伝熱部材の上面は前記フロアパネルの裏面に接触するようにした冷暖房設備の二重床構造が提供される。
【０００９】
また本発明によれば、基礎床上に離隔して複数個の支持脚で支持されたフロアパネルの裏側に配置された冷温水循環パイプと、前記フロアパネルの一部に形成された空気吹出口と、冷暖房対象空間の上部に形成された空気吸込口と、前記基礎床と前記フロアパネルとの間の前記冷温水循環パイプ周囲に冷気あるいは暖気を送り込み、前記フロアパネルの前記空気吹出口から前記冷暖房対象空間および前記空気吸込口を経て前記基礎床と前記フロアパネルとの間へと循環させる冷暖気供給装置と、前記冷温水循環パイプに冷水あるいは温水を送って循環させる冷温水供給装置と、前記基礎床上に設置され、かつ帯板を山形に折曲して成る複数個の帯状山形支持部材と、前記帯状山形支持部材の頂部に、かつ該頂部を橋絡するように、互いに平行に支持され、前記冷温水循環パイプを収容するように上部が開放された樋状部材と、前記樋状部材の両側部および上部開放部を覆う伝熱部材とを有し、前記複数個の帯状山形支持部材は、その各々山部が前記樋状部材の長手方向およびこれに直交する横手方向に互いに離隔して配列され、かつ各々の山裾部下端が基礎床に接面するように折り曲げられており、前記伝熱部材の上面は前記フロアパネルの裏面に接触するようにした床吹出し空調・冷暖房装置が提供される。
【００１０】
【発明の実施の形態】
次に、本発明を好適な実施形態について図面を参照して説明する。図１は本発明の１実施形態に係る床吹出し空調・冷暖房装置の縦断面図、図２は図１の略Ａ−Ａ線に沿った拡大断面図である。フロアパネル６は、基礎床３上に立設した高さ調整可能な支持脚８により該基礎床３に対して所定間隔離隔して支持されている。基礎床３上には、帯板を山形に折曲した帯状山形支持部材５が配置されている。図３を参照して、この実施形態の山形支持部材５を更に説明する。山形支持部材５は所定の板巾をもつ細長い帯板を、下方が開放しかつ上部が平坦面となった矩形あるいは山形の形状に曲折して形成され、その裾部下端５ａを基礎床３の床面に並行になるように折り曲げ、かつ隣接した裾部下端５ａどおしを一体に連結した形状を有し、このような曲折帯板を板巾方向（横方向）に複数個適当な間隔で配列された構造となっている。折り曲げた裾部下端５ａは前記基礎床に接触する。
【００１１】
図示の例は帯板の長さ方向に２つの山形部が形成され、この曲折帯板が板巾方向に３体並べて離隔配置され、更にこの３体の両外側の各々の裾部下端が床面に接する横板７によって互いに連結され、この状態で１つの山形支持ユニット１０が構成されている。施工に際しては、多数の前記山形支持ユニット１０が基礎床３（図１，図２）の床板上に敷き詰められる。
【００１２】
帯状支持部材の山形部分の頂部平坦面５ｂに、かつ帯板の長さ方向に沿って各山形部分に跨がるように、上側が開放された長尺の樋状部材２が支持されている。このようにして前記樋状部材２は横方向に所定の間隔で列状に並行配置され、またこの樋状部材２に冷温水パイプ１が収容されている。樋状部材２の上部にはフロアパネル６が配置される。冷温水パイプ１は樋状部材２の長手方向端部で隣接した樋状部材側へ折り返えされてこの隣接樋状部材に収容され、このようにして蛇腹状に基礎床３とフロアパネル６間に配設され、該パイプ１の一端が二重床空間部３２の側方の冷温水の供給口に、また他端が冷温水の排出口にそれぞれ接続される。これらの供給口および排出口は室外部の機械室に設置された冷温水発生機１７に冷温水分配ヘッダ１９および配管２０を介して連結され、冷温水は冷温水発生機１７と冷温水パイプ１（図２）間を循環するようになっている。
【００１３】
図４は冷温水パイプを収容した樋状部材および伝熱部材の拡大断面図である。樋状部材２は前述したように上方が開放され、上側から冷温水パイプ１が樋状部材２内へ落し込むようにして収容されるが、樋状部材２の両側部外側に横断面Ｌ形の伝熱部材３３が固着されている。また、このＬ形の伝熱部材（側方伝熱部材）３３の上側張出部分に、樋状部材２の上側開放部を遮蔽するように、平板状の上側伝熱部材３５がボルト等で固着されている。フロアパネル６は上側伝熱部材３５の上面に接して配設される。これらの側方および上側伝熱部材３３，３５は樋状部材２の略全長にわたって延在し、その材質はアルミ板、銅板等の熱伝導性の高い材質で形成される。なお、図３では明瞭化のため伝熱部材は図示省略してある。また本発明の実施例を示す図面では、明瞭化のため伝熱部材はその断面の板厚を大きな厚みで描いてあるが、実際は板厚１ｍｍ程度の通常の薄い板材で構成される。
【００１４】
図４の実施例では、伝熱効率の点で上側伝熱部材３５の横巾および側方伝熱部材３３の上側張出部分は樋状部材２の横巾よりできるだけ横方向に長く延在させてフロアパネル６との接触面積を広くするのが良いが、場合によっては図５のように上側および側方伝熱部材をコ字状に一体成形したコ字状伝熱部材３６として構成し、これを樋状部材２の上側開放部にかぶせるようにしても良い。側方伝熱部材３３あるいはコ字状伝熱部材３６の側部は図４，図５のように樋状部材２の外側部に接触させる場合に限らず、樋状部材２の内側に接触するように該部材に差し込む形態のものでも良い。この場合は冷温水パイプ１は側方伝熱部材に直接対峙あるいは接触し、より良好な熱伝導がもたらされる。なお、冷温水パイプ１は内部を流れる熱媒による熱膨張を考慮して該パイプ１の外側部とＬ形および上側伝熱部材３３，３５との間に若干の隙間を有するようにするのがよい（図４および図５参照）。
【００１５】
再び図１を参照すれば、冷暖気発生機１８からの湿度や温度の調節された冷気あるいは暖気は送風管２１を介して基礎床３に形成された送風孔２２あるいはフロアパネル６と基礎床３間の側方の下部壁面に形成された送風孔２３からフロアパネル６と基礎床３間の空間部３２に送られ、フロアパネル６の隅部の吹出口１１から室１２内に導入され、該室１２の空気調和が行われ、室上部の吸込口１３から冷暖気発生機１８に戻され、かつこの間を循環する。なお、空間部３２を通る冷気あるいは暖気は冷温水パイプ１（図２）を流れる冷水あるいは温熱水によって樋状部材２および伝熱部材３３，３５（図４）の輻射によっても冷却あるいは加熱される。
【００１６】
このようにフロアパネル６の吹出口１１から吹き出された湿度、温度の調節空気は室１２内に満たされ、フロアパネル６上のＯＡ機器（図示省略）や人体からの発生熱や塵煙等は上部の吸込口１３から排出され、また、冷温水パイプ１からフロアパネル６に伝達された冷暖房熱は該フロアパネル６から室１２内に輻射され、室１２内は常に新鮮で快適な空調雰囲気に保たれる。また基礎床３の床面上に這わされるＯＡ機器（図示省略）の配線用コード１５類は、図３に示す如く、帯状山形支持部材５、特に該部材５の裾部によって大まかな位置決め、案内がなされ、本数が多くなっても従来のようにからみ合ったり、隅部の箇所に不必要に集中して引き出すのに手間がかかるということがなく、コード接続箇所に対応するフロアパネル６を開いて迅速、容易に必要なコード１５を引き出して前記ＯＡ機器に接続できる。
【００１７】
【発明の効果】
以上説明したように本発明によれば、冷温水パイプの少なくとも両側部および上側を伝熱部材で囲包し、この伝熱部材を介して二重床のフロアパネルの裏面に接触させて支持するようにしたので、パイプ内を流れる熱媒を効率よくフロアパネルに伝達することができる。また、前記フロアパネルと基礎床との間に空隙を確保し、この空隙部を通して空調制御された空気を前記床パネルの吹出口から室内に送り、室上部の吸込口から排出し、かつこの間を循環するようにしたので、冷温水パイプによる前記フロアパネルからの輻射および前述の空調空気による室内の冷暖房および空調が有効になされる。前記吹出口から前記室内に送り込まれる空気は二重床の間の前記冷温水パイプによっても冷暖気作用を受け、しかも二重床内の空気は前記伝熱部材に触れるため、空気との熱交換が有効になされ、熱源を無駄なく利用できる。
【００１８】
また、基礎床とフロアパネル間に張り渡すＯＡ機器などのコード類は、その位置規制のための特別なガイド部材等を別途設けることなく、位置規制のための狭いガイド孔に挿通する必要はなく、二重床内の冷温水パイプの帯状山形支持部材の上側から該支持部材の裾部の間に這わせるようにして敷設できるため、コード設置工事がきわめて容易である。しかも縦列、横列に並んだ多数の前記支持部材の間に縦、横、斜めの任意の方向に伸長させ得るとともに、その大まかな位置が前記支持部材に規制されて延びるために、前記コードが多数本になっても、からみ合ったり隅の方へずれたりすることがなく、分割されたフロアパネルの該当箇所を開いて必要なコードを誤りなく引き出すことができるなど、多くの効果がもたらされる。
【図面の簡単な説明】
【図１】  本発明の１実施形態に係る床吹出し空調・冷暖房装置の縦断面図である。
【図２】  図１の略Ａ−Ａ線に沿った拡大断面図である。
【図３】  本発明の１実施形態に係る山形支持ユニットの斜視図である。
【図４】  冷温水パイプを収容した樋状部材および伝熱部材の拡大断面図である。
【図５】  樋状部材および伝熱部材の他の実施形態を示す部分的な拡大断面図である。
【図６】  従来の冷暖房装置の概略的な縦断面図である。
【図７】  従来のオフィスビルの床面におけるフロアパネル下の配線用コードの配設状態を示す部分的な斜視図である。
【符号の説明】
１  冷温水パイプ
２  樋状部材
３  基礎床
５  帯状山形支持部材
６  フロアパネル
８  支持脚
１０  山形支持ユニット
１１  吹出口
１３  吸込口
１５  配線用コード
１７  冷温水発生機
１８  冷暖気発生機
２２，２３  送風孔
３２  空間部
３３  側方伝熱部材
３５  上側伝熱部材
【図１】
0003853643.tif 000002
【図２】
0003853643.tif 000003
【図３】
0003853643.tif 000004
【図４】
0003853643.tif 000005
【図５】
0003853643.tif 000006
【図６】
0003853643.tif 000007
【図７】
0003853643.tif 000008